(57)【要約】【課題】本発明の目的は、全長が短く携帯性、収納性に優れながらも作業内容に合わせて全長を長くすることにより、安定した作業ができる携帯用ディスクグラインダを提供することである。【解決手段】本発明は、本体を片手または両手で保持して使用する本体保持部を兼ねた外枠を備えた携帯用ディスクグラインダにおいて、前記本体保持部を兼ねた外枠の後端に、補助ハンドル取付部を形成し、該補助ハンドル取付部に補助ハンドルを着脱自在に取付けたことを特徴とする。【選択図】  図１
2004249428.tif 000002
【特許請求の範囲】
【請求項１】
本体を片手または両手で保持して使用する本体保持部を兼ねた外枠を備えた携帯用ディスクグラインダにおいて、前記本体保持部を兼ねた外枠の後端に、補助ハンドル取付部を形成し、該補助ハンドル取付部に補助ハンドルを着脱自在に取り付けたことを特徴とする携帯用ディスクグラインダ。
【発明の詳細な説明】
【０００１】
【発明の属する技術分野】
本発明は、携帯用ディスクグラインダに関するものである。
【０００２】
【従来の技術】
従来の携帯用ディスクグラインダを図４、５、６、７、８に示す。図４に示すように携帯用ディスクグラインダの外枠は、ギヤ１を内包するギヤカバ２、モータ３を内包するハウジング４、及び電源部５を内包するテールカバ６から構成されている。または、図５に示すようにギヤカバ２、及びモータ３と電源部５を内包するハウジング４から構成されている。以下モータ３付近の外枠部分をハウジング握り部４Ａ、電源部５付近の外枠部分をテールカバ握り部４Ｂとして説明する。
【０００３】
前記ギヤカバ２には１個、または複数個の補助ハンドル取付部２Ａを設けており、図６のように必要に応じて補助ハンドル７を取付けて使用される。
【０００４】
【発明が解決しようとする課題】
携帯用ディスクグラインダで被削材９を研削・切断する際は、図６に示すハウジング４またはハウジング握り部４Ａやギヤカバ２を片手で保持したり、補助ハンドル７、ギヤカバ２、ハウジング４またはハウジング握り部４Ａ、テールカバ６またはテールカバ握り部４Ｂのいずれかを両手で保持して使用し、作業内容により保持方法が変化する。
【０００５】
研削作業の場合、図４に示すように先端工具１０を被削材９に対して矢印Ａ方向に押し付けるため、図７に示すように片手はギヤカバ２、ハウジング４またはハウジング握り部４Ａを保持し、もう片手はギヤカバ２の補助ハンドル取付部２Ａに取付けた補助ハンドル７を保持することにより、被削材９の研削面に対しほぼ平行かつ両手が八の字形になるように構えられるため矢印Ａ方向に力を入れ易く、また実際の研削面の研削角度を両手で合わせ易いため安定した作業を行うことができる。また、製缶等の狭い場所に携帯用ディスクグラインダを入れて作業する場合には、携帯用ディスクグラインダの全長によっては作業内容が制限されてしまうため、より全長の短い携帯用ディスクグラインダが好まれる。
【０００６】
切断作業の場合、図８に示すように先端工具１０を被削材９に対し矢印Ｃ方向に押さえつけながら矢印Ｄ方向に押す為、片手はハウジング４またはハウジング握り部４Ａを保持し、片手は先端工具１０の回転方向（矢印Ｂ）と逆方向に発生する本体の回転力を抑制する為、先端工具から離れたテールカバ６またはテールカバ握り部４Ｂを保持することにより、竹刀を構えるのと同様な保持姿勢となるため矢印Ｃ、Ｄ方向に力を入れ易く安定した作業を行うことができる。
【０００７】
携帯用ディスクグラインダは、その携帯性の良さから建設工事現場等で幅広く使用されている。携帯用ディスクグラインダの使用者は、盗難防止等のため建設現場から毎日持ち帰るのが一般的であり、より携帯用、軽量の携帯用ディスクグラインダが好まれる。このため、携帯用ディスクグラインダは、携帯用、軽量であるほど携帯性、収納性が優れるが、作業内容によっては、ハウジング４またはハウジング握り部４Ａとテールカバ６またはテールカバ握り部４Ｂを両手で保持するほうが作業が安定するため、従来の携帯用ディスクグラインダでは、両手保持できる長さよりも全長を短くすることができないという問題点があった。
【０００８】
本発明の目的は、全長が短く携帯性、収納性に優れながらも作業内容に合わせて、全長を長くすることにより、安定した作業ができる携帯用ディスクグラインダを提供することである。
【０００９】
【課題を解決するための手段】
上記目的は、本体を片手または両手で保持して使用する本体保持部を兼ねた外枠を備えた携帯用ディスクグラインダにおいて、前記本体保持部を兼ねた外枠の後端に、補助ハンドル取付部を形成し、該補助ハンドル取付部に補助ハンドルを着脱自在に取り付けることにより達成される。
【００１０】
【発明の実施の形態】
本発明における携帯用ディスクグラインダを図１、２、３に示す。図１に示すように、外枠は、先端工具１０を駆動するためのギヤ１を内包する以下ギヤカバ２、及びモータ３を内包するハウジング４、及び電源部５を内包するテールカバ６から構成されている。または、ギヤカバ２、及びモータ３と電源部５を内包するハウジング４から構成されている。以下モータ３付近の外枠部分をハウジング握り部４Ａ、電源部５付近の外枠部分をテールカバ握り部４Ｂとして説明する。前記ギヤカバ２には１個、または複数個の補助ハンドル取付箇所２Ａを設けており図６のように補助ハンドル７を取付けることが可能である。前記携帯用ディスクグラインダにおいて前記テールカバ６後端に脱着可能な補助ハンドル取付部８を設ける。または、前記テールカバ握り部４Ｂ後端に補助ハンドル取付部８を設ける。切断作業の場合、図２に示すように補助ハンドル取付部８に補助ハンドル７を取付け、図３に示すように片手はハウジング４を握り、もう片手は先端工具１０から離れた前記補助ハンドル７を握ることで、竹刀を構えるのと同様の保持姿勢をとることができ、安定して作業を行うことが可能である。研削作業の場合には、前記補助ハンドル取付部８ではなくギヤカバ２の補助ハンドル取付部２Ａに前記補助ハンドル７を取付け、片手はギヤカバ２またはハウジング４またはハウジング握り部４Ａを握り、もう片手は前記補助ハンドル７を握ることで被削材９の研削面に対してほぼ平行かつ八の字形に保持することができ安定して作業を行うことが可能である。また、作業中に使用していた前記補助ハンドル７を本体から取り外すことで、携帯性、収納性を向上できる。
【００１１】
【発明の効果】
本発明によれば、全長が短く携帯性、収納性に優れながらも作業内容に合わせて、全長を長くすることにより、安定した作業ができる携帯用ディスクグラインダを提供することである。
【図面の簡単な説明】
【図１】本発明の携帯用ディスクグラインダを示す側面図。
【図２】本発明の携帯用ディスクグラインダの使用例を示す側面図。
【図３】本発明の携帯用ディスクグラインダの使用例を示す斜視図。
【図４】従来の携帯用ディスクグラインダを示す縦断面図。
【図５】従来の携帯用ディスクグラインダを示す上面図。
【図６】従来の携帯用ディスクグラインダの使用例を示す上面図。
【図７】従来の携帯用ディスクグラインダの使用例を示す上面図。
【図８】従来のディスクグラインダの使用例を示す斜視図。
【符号の説明】
１…ギヤ  ２…ギヤカバ  ２Ａ…補助ハンドル取付部  ３…モータ  ４…ハウジング  ４Ａ…ハウジング握り部  ４Ｂ…テールカバ握り部  ５…電源部  ６…テールカバ  ７…補助ハンドル  ８…補助ハンドル取付部  ９…被削材  １０…先端工具
【図１】
2004249428.tif 000003
【図２】
2004249428.tif 000004
【図３】
2004249428.tif 000005
【図４】
2004249428.tif 000006
【図５】
2004249428.tif 000007
【図６】
2004249428.tif 000008
【図７】
2004249428.tif 000009
【図８】
2004249428.tif 000010